(57)【要約】【課題】単一型式のマンカラ用ゲームボードの形を変えることなく２人プレイ用から４人プレイ用のマンカラ用ゲームボードにまで任意に展開でき、不使用時にはコンパクトに折り畳むことによって保管スペースを小さく抑えることができるマンカラ用ゲームボードを提供すること。【解決手段】木製のマンカラ用ゲームボード１は、表面に凹状の複数のポケット２ａ，３ａ，３ｂが形成された２つの木製ボード片２，３の各端部同士を突き合わせて両者を木製ヒンジ４によって回動可能に連結し、一方の木製ボード片２を、その表面が他方の木製ボード片３の表面を向くように折り畳んで両木製ボード片２，３同士を上下に重ねることができるよう構成されている。ここで、２つの木製ボード片２，３は、長方形の木製プレートであって、両木製ボード片２，３の各突合せ側端部の両側部に切欠き２Ａ，３Ａをそれぞれ形成し、同側の互いに連通する切欠き２Ａ，３Ａに木製ヒンジ４をそれぞれ配置する。【選択図】図２
0003230912.tif 000002
【実用新案登録請求の範囲】
【請求項１】
表面に凹状の複数のポケットが形成された２つの木製ボード片の各端部同士を突き合わせて両者を木製ヒンジによって回動可能に連結し、一方の木製ボード片を、その表面が他方の木製ボード片の表面を向くように折り畳んで両木製ボード片同士を上下に重ねることができるよう構成されたマンカラ用ゲームボードを少なくとも４つ備えることを特徴とするマンカラ用ゲームボード。
【請求項２】
２つの前記木製ボード片は、長方形の木製プレートであって、
両木製ボード片の各突合せ側端部の両側部に切欠きをそれぞれ形成し、同側の互いに連通する前記切欠きに前記木製ヒンジを配置する請求項１に記載のマンカラ用ゲームボード。
【請求項３】
前記木製ボード片と木製ヒンジは、木製に代えてプラスチック製で形成した請求項1又は2に記載のマンカラ用ゲームボード。
【請求項４】
請求項１〜３のいずれかのマンカラ用ゲームボードは、その２つを平行にずらして並べて２人プレイ用として、又は３つを平面視三角形に並べて３人プレイ用として、若しくは４つを平面視四角形に並べて４人プレイ用として、それぞれに用いるマンカラ用ゲームボード。
【考案の詳細な説明】
【技術分野】
【０００１】
本考案は、「マンカラ」や「カラハ」などのゲームに使用されるゲームボードに関する。
【背景技術】
【０００２】
「マンカラ」とは、アフリカや中近東、東南アジアにかけて古くから遊ばれている伝統的なボードゲームの総称であり、その発祥は紀元前であって、遊び方は１００種類以上とされており、「カラハ」という名称でも親しまれている。このボードゲームは、交互に石を移していくという単純なゲームであり、このゲームには、例えば、長方形の木製プレートの表面に2人が対面してプレイできるように平行に並んだ2組の複数の凹状のポケットを掘り込んで形成された木製のマンカラ用ゲームボードが使用されている。そして、ゲームは、木製のマンカラ用ゲームボードの各ポケットに所定数（例えば、４個）の石を置いた状態から開始される。
【０００３】
ところで、特許文献１には、アルミ缶（例えば、缶ビール）の底部の凹曲面をポケットとして利用し、複数のアルミ缶の底部をダンボール板に嵌め込んでマンカラ用ゲームボードを作製する提案がなされている。また特許文献2には、ボードのユニットを組み立ててマンカラ用ゲームボードに形成する提案が記載されている。
【先行技術文献】
【特許文献】
【０００４】
【特許文献１】実用新案登録第３１２９７２６号公報
【特許文献２】特許第５７６７２６６号公報
【考案の概要】
【考案が解決しようとする課題】
【０００５】
しかしながら、従来の木製のマンカラ用ゲームボードや特許文献１や特許文献２において提案されたマンカラ用ゲームボードは、単一型式のマンカラ用ゲームボードの形を変えることなく2人プレイ用、3人プレイ用、4人プレイ用のマンカラ用ゲームボードに展開できるようになったものではなく、そのようなマンカラ用ゲームボードは未だ見当たらない。また、マンカラ用ゲームボードを折り畳めないものでは、不使用時（ゲームをしないとき）や保管時に大きなスペースを要するという問題がある。
【０００６】
本考案は、上記の点に鑑みてなされたもので、一種類のマンカラ用ゲームボードを組み合わせることにより2人プレイ用から4人プレイ用まで任意に展開することができ、また不使用時には複数のマンカラ用ゲームボードをコンパクトに折り畳んで積層することによって保管スペースを小さく抑えることができる「マンカラ」や「カラハ」用のゲームボードを提供することを課題とする。
【課題を解決するための手段】
【０００７】
上記課題を解決するため、請求項１記載の考案は、木製のマンカラ用ゲームボードを、表面に凹状の複数のポケットが形成された２つの木製ボード片の各端部同士を突き合わせて両者を木製ヒンジによって回動可能に連結し、一方の木製ボード片を、その表面が他方の木製ボード片の表面を向くように折り畳んで両木製ボード片同士を上下に重ねることができるよう構成したマンカラ用ゲームボードを、少なくとも４つ備えることを特徴とする。
【０００８】
また、請求項２に記載の考案は、請求項１に記載の考案において、２つの前記木製ボード片は、長方形の木製プレートであって、両木製ボード片の各突合せ側端部の両側部に切欠きをそれぞれ形成し、同側の互いに連通する前記切欠きに前記木製ヒンジを配置したことを特徴とする。請求項３の考案は、本考案マンカラ用ゲームボードの材質がプラスチック製であってもよいことを示し、請求項４の考案は、本考案マンカラ用ゲームボードの２人プレイ用、３人プレイ用、４人プレイ用の配置パターンを示したものである。
【考案の効果】
【０００９】
本考案マンカラ用ゲームボードは、２人プレイ用、３人プレイ用、４人プレイ用の何れかに任意に展開できるからプレイヤーの数に応じた配置パターンを選択することができ、不使用のマンカラ用ゲームボード（プレイに使用しない場合）は、コンパクトに折り畳み積層して保管できるから、不使用時に邪魔になり難く保管スペースも小さく抑えられる。
【００１０】
また、本考案によれば、２つの木製ボード片同士を連結する一対の木製ヒンジが両木製ボード片の両側部に形成された切欠き内に収容され、これらの木製ヒンジが両木製ボード片の側面から外側へと突出することがないため、当該木製のマンカラ用ゲームボードの幅が木製ボード片の幅寸法に抑えられるとともに、両木製ボード片同士の連結部の外観性が高められる。
【図面の簡単な説明】
【００１１】
【図１】本考案に係る木製のマンカラ用ゲームボードの使用時の平面図である。
【図２】図１の木製のマンカラ用ゲームボードの使用時の斜視図である。
【図３】図２の木製のマンカラ用ゲームボードの不使用時の斜視図である。
【図４】本考案に係る木製のマンカラ用ゲームボードの２つの木製ボード片の連結構造を示す要部の分解斜視図である。
【図５】本考案に係る木製のマンカラ用ゲームボードの２人プレイ用の配置を示す平面図である。
【図６】本考案に係る木製のマンカラ用ゲームボードの３人プレイ用の配置を示す平面図である。
【図７】本考案に係る木製のマンカラ用ゲームボードの４人プレイ用の配置を示す平面図である。
【考案を実施するための形態】
【００１２】
以下に本考案の実施の形態を添付図面に基づいて説明する。以下の説明は、本考案マンカラ用ゲームボードを木製とした場合の説明である。
【００１３】
図１は本考案に係る木製のマンカラ用ゲームボードの使用時の平面図、図２は図1の木製のマンカラ用ゲームボードの使用時の斜視図、図３は同じく木製のマンカラ用ゲームボードの不使用時の斜視図、図４は木製のマンカラ用ゲームボードの２つの木製ボード片の連結構造を示す要部の分解斜視図、図５は木製のマンカラ用ゲームボードの２人プレイ時の配置を示す平面図、図６は木製のマンカラ用ゲームボードの３人プレイ時の配置を示す平面図、図７は木製のマンカラ用ゲームボードの４人プレイ時の配置を示す平面図である。
【００１４】
本考案に係る木製のマンカラ用ゲームボード１は、「マンカラ」或いは「カラハ」と称される伝統的なゲームに使用されるものであって、長方形プレートである２つの木製ボード片２，３同士を突き合わせて両者を一対の木製ヒンジ４によって回動可能に連結して構成されている。なお、以下の説明においては、図１及び図２に示す矢印方向をそれぞれ「前後」、「左右」方向とする。
【００１５】
本実施の形態では、２つの木製ボード片２，３と木製ヒンジ４は、例えば松などの木材によって構成されており、当該木製のマンカラ用ゲームボード１を使用してゲームをプレイする場合には、図１及び図２に示すように、２つの木製ボード片２，３が展開され、その表面が上向きとなる状態で平面上に直線状に載置される。なお、本実施の形態では、各木製ボード片２，３の長さＬは２２０ｍｍ（木製のマンカラ用ゲームボード１の全長２Ｌは４４０ｍｍ）、幅Ｗは７５ｍｍに設定されている。本考案の木製のマンカラ用ゲームボードは、前記数値に限定されるものではなく任意の数値の木製のマンカラ用ゲームボードに製作できる。
【００１６】
ここで、図１及び図２に示すように、一方の木製ボード片２の表面（上面）には、平面視長円形（楕円形）の凹状の４つのポケット２ａが長手方向（前後方向）に沿って適当な間隔で形成されている。また、他方の木製ボード片３の表面（上面）には、平面視長円形（楕円形）の凹状の２つのポケット３ａと平面視矩形の凹状の１つのポケット３ｂが長手方向（前後方向）に沿って適当な間隔で形成されている。
【００１７】
そして、図４に詳細に示すように、２つの木製ボード片２，３の各突合せ側端部（一方の木製ボード片２の後端部と他方の木製ボード片３の前端部）の左右両側部には、矩形溝状の切欠き２Ａ，３Ａがそれぞれ形成されており、左右において同側の互いに連通する切欠き２Ａ，３Ａ同士によって構成される空間には、木製ヒンジ４がそれぞれ配置されている。ここで、各木製ヒンジ４は、木製連結具４Ａと、該木製連結具４Ａの両端に形成された円孔４ａに圧入される丸棒状の木製ピン４Ｂによって構成されている。
【００１８】
また、図４に示すように、２つの各木製ボード片２，３の左右の切欠き２Ａ，３Ａには、円孔２ｂ，３ｃがそれぞれ形成されており、両木製ボード片２，３同士を図１及び図２に示すように突き合わせた状態で、各木製ヒンジ４の木製ピン４Ｂを各切欠き２Ａ，３Ａに形成された円孔２ｂ，３ｃに差し込んで嵌合させることによって、２つの木製ボード片２，３同士が回動可能に連結されて木製のマンカラ用ゲームボード１が組み立てられる。
【００１９】
而して、図１及び図２に示すように２つの木製ボード片２，３を展開し、その表面が上向きとなるように当該木製ボード片２，３を平面上に直線状に載置した状態の木製のマンカラ用ゲームボード１を用いてゲームがプレイされる。例えば「マンカラ」と称されるゲームを２人でプレイする場合には、図５に示すように、２つの木製のマンカラ用ゲームボード１を長辺側の側面同士を対面接触状態でずらして配置し、各木製ボード片２，３のポケット２ａ，３ａに各４つずつ置かれた石５を順番に移す動作が繰り返される。なお石の色は異なる色でも同色系であっても構わない。
【００２０】
また、３人でゲームをプレイする場合には、図６に示すように、３つの木製のマンカラ用ゲームボード１を各頂点同士を突き合わせて平面視三角形状に配置し、各木製ボード片２，３のポケット２ａ，３ａに各４つずつ置かれた石５を順番に移す動作が繰り返される。
【００２１】
さらに、４人でゲームをプレイする場合には、図７に示すように、４つの木製のマンカラ用ゲームボード１を各端部同士を突き合わせて平面視四角形状に配置し、各木製ボード片２，３のポケット２ａ，３ａに各４つずつ置かれた石５を順番に移す動作が繰り返される。
【００２２】
その後、ゲームが終了して木製のマンカラ用ゲームボード１を使用しない場合には、各木製のマンカラ用ゲームボード１の一方の木製ボード片２を木製ヒンジ４を中心として図２に鎖線にて示すように矢印方向に回動させる。すると、一方の木製ボード片２が、その表面が他方の木製ボード片３の表面を向くように折り畳まれ、図３に示すように、この木製ボード片２が他方の木製ボード片３の上に重ねられる。一つのマンカラ用ゲームボードについて、一方の木製ボード片２が折り畳まれて他方の木製ボード片３の上に重ねられると、当該木製のマンカラ用ゲームボード１の全長は、図１及び図２に示す両木製ボード片２，３が展開した使用時の状態の全長２Ｌの１／２のＬに半減する。また折畳んだ時、下位に位置する木製ボード片３のポケット３ｂにゲーム媒体の石５を収納できるから、石５が散逸することがない。
【００２３】
したがって、本考案に係る木製のマンカラ用ゲームボード１によれば、これを使用しない場合（プレイしない場合）には、図３に示すように、コンパクトに折り畳んで一方の木製ボード片２を他方の木製ボード片３の上に重ねることができる。このため４つの木製のマンカラ用ゲームボード１であっても、折畳み状態の２つを平行に並べて積層すれば、不使用時の保管スペースが小さく抑えられ、使用しない石５をポケット３ｂに収納して保管できるという効果が得られる。
【００２４】
また、木製のマンカラ用ゲームボード１を構成する２つの木製ボード片２，３同士を連結する一対の木製ヒンジ４が両木製ボード片２，３の両側部に形成された切欠き２Ａ，３Ａ内に収容され、これらの木製ヒンジ４が両木製ボード片２，３の側面から外側へと突出することがないため、当該木製のマンカラ用ゲームボード１の幅が木製ボード片２，３の幅寸法に抑えられるとともに、両木製ボード片２，３同士の連結部の外観性が高められるという効果も得られる。
【００２５】
以上の説明は、本考案を木製のマンカラ用ゲームボードに形成した場合の例であるが、本考案マンカラ用ゲームボードは木製のものに限られるものではない。例えば、上記の木製ボード片２，３と木製ヒンジ４とを、プラスチック製の成形品で形成することもできる。ゲーム媒体の石５もプラスチック成形品でよい。
【００２６】
なお、本考案は、以上説明した実施の形態に適用が限定されるものではなく、実用新案登録請求の範囲及び明細書と図面に記載された技術的思想の範囲内で種々の変形が可能であることは勿論である。
【符号の説明】
【００２７】
１          木製のマンカラ用ゲームボード
２，３      木製ボード片
２Ａ        木製ボード片２の切欠き
２ａ        木製ボード片２のポケット
３Ａ        木製ボード片３の切欠き
３ａ，３ｂ  木製ボード片３のポケット
４          木製ヒンジ
５          石
【図１】
0003230912.tif 000003
【図２】
0003230912.tif 000004
【図３】
0003230912.tif 000005
【図４】
0003230912.tif 000006
【図５】
0003230912.tif 000007
【図６】
0003230912.tif 000008
【図７】
0003230912.tif 000009
【手続補正書】
【提出日】令和2年12月14日(2020.12.14)
【手続補正１】
【補正対象書類名】実用新案登録請求の範囲
【補正対象項目名】全文
【補正方法】変更
【補正の内容】
【実用新案登録請求の範囲】
【請求項１】
表面に凹状の複数のポケットが形成された２つの木製ボード片の各端部同士を突き合わせて両者を木製ヒンジによって回動可能に連結し、一方の木製ボード片を、その表面が他方の木製ボード片の表面を向くように折り畳んで両木製ボード片同士を上下に重ねることができるよう構成されたマンカラ用ゲームボードを少なくとも４つ備えることを特徴とするマンカラ用ゲームボードセット。
【請求項２】
２つの前記木製ボード片は、長方形の木製プレートであって、
両木製ボード片の各突合せ側端部の両側部に切欠きをそれぞれ形成し、同側の互いに連通する前記切欠きに前記木製ヒンジを配置する請求項１に記載のマンカラ用ゲームボードセット。
【請求項３】
前記木製ボード片と木製ヒンジは、木製に代えてプラスチック製で形成した請求項1又は2に記載のマンカラ用ゲームボードセット。
【請求項４】
請求項１〜３のいずれかのマンカラ用ゲームボードセットは、その２つを平行にずらして並べて２人プレイ用として、又は３つを平面視三角形に並べて３人プレイ用として、若しくは４つを平面視四角形に並べて４人プレイ用として、それぞれに用いるマンカラ用ゲームボードセット。